(57)【特許請求の範囲】
【請求項１】
無線通信のための装置であって、
第１および第２の無線ネットワークの各々の１または複数の無線デバイスとの通信をサポートし、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する
ように構成された処理システムと、
前記メッセージを前記第１の無線ネットワークに送信するように構成された送信機を備え、
前記送信機は、前記メッセージを前記第１のネットワークへと指向的に送信するようにさらに構成され、かつ前記第２のネットワークでの無指向性送信を可能にするために、前記メッセージを前記第１のネットワークへと指向的に送信するようにさらに構成される、
装置。
【請求項２】
無線通信のための装置であって、
第１および第２の無線ネットワークの各々の１または複数の無線デバイスとの通信をサポートし、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する
ように構成された処理システムと、
前記メッセージを前記第１の無線ネットワークに送信するように構成された送信機を備え、
前記送信機は、前記メッセージを前記第１のネットワークへと指向的に送信するようにさらに構成され、かつ前記第２のネットワークでの指向性送信を可能にするために、前記メッセージを前記第１のネットワークへと指向的に送信するようにさらに構成される、
装置。
【請求項３】
無線通信のための装置であって、
第１および第２の無線ネットワークの各々の１または複数の無線デバイスとの通信をサポートし、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する
ように構成された処理システムと、
前記メッセージを前記第１の無線ネットワークに送信するように構成された送信機を備え、
前記送信機は、前記第２のネットワークでの指向性送信を可能にするために、前記メッセージを前記第１のネットワークへと無指向的に送信するようにさらに構成される、
装置。
【請求項４】
無線通信のための装置であって、
第１および第２の無線ネットワークの各々の１または複数の無線デバイスとの通信をサポートし、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する
ように構成された処理システムと、
前記メッセージを前記第１の無線ネットワークに送信するように構成された送信機を備え、
前記送信機は、前記第２のネットワークでの無指向性送信を可能にするために、前記メッセージを前記第１のネットワークへと無指向的に送信するようにさらに構成される、
装置。
【請求項５】
無線通信のための装置であって、
第１および第２の無線ネットワークの各々の１または複数の無線デバイスとの通信をサポートし、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する
ように構成された処理システムと、
前記メッセージを前記第１のネットワークへと指向的に送信するように構成された送信機を備え、
前記送信機は、前記第２の無線ネットワーク内の送信側の無線デバイスの予想された位置をカバーする領域内へ前記メッセージを指向的に送信するようにさらに構成される、
装置。
【請求項６】
無線通信のための装置であって、
第１および第２の無線ネットワークの各々の１または複数の無線デバイスとの通信をサポートし、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する
ように構成された処理システムと、
前記メッセージを前記第１のネットワークへと指向的に送信するように構成された送信機を備え、
前記送信機は、前記第２の無線ネットワークでの将来の送信の予想された範囲をカバーする領域内へ前記メッセージを指向的に送信するようにさらに構成される、
装置。
【請求項７】
無線通信のための装置であって、
第１および第２の無線ネットワークの各々の１または複数の無線デバイスとの通信をサポートし、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する
ように構成された処理システムを備え、
前記処理システムは、ある時間インターバルの間前記媒体を予約するために、前記第１の無線ネットワークへの送信のための前記メッセージを生成するようにさらに構成され、
前記時間インターバルに続いて、前記第１の無線ネットワークでの無線送信を調整するようにさらに構成され、
前記第１の無線ネットワーク内の１または複数の無線デバイスについてのスリープスケジュールを決定するようにさらに構成される、装置。
【請求項８】
無線通信のための装置であって、
第１および第２の無線ネットワークの各々の１または複数の無線デバイスとの通信をサポートし、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する
ように構成された処理システムを備え、
前記処理システムは、前記媒体が予約されている間に、前記第２の無線ネットワークでの前記無線送信を調整するようにさらに構成され、
前記第２の無線ネットワーク内の１または複数の無線デバイスについてのスリープスケジュールを決定するようにさらに構成される、装置。
【請求項９】
無線通信のための装置であって、
第１および第２の無線ネットワークの各々の１または複数の無線デバイスとの通信をサポートし、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する
ように構成された処理システムを備え、
前記処理システムは、前記第２の無線ネットワークにおいて送信しようとする前記無線デバイスに関する情報を記憶するようにさらに構成される、装置。
【請求項１０】
無線通信のための装置であって、
第１および第２の無線ネットワークの各々の１または複数の無線デバイスとの通信をサポートし、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する
ように構成された処理システムを備え、
前記処理システムは、前記第２の無線ネットワークにおいて送信しようとする前記無線デバイスの位置に関する情報を記憶するようにさらに構成される、装置。
【請求項１１】
前記装置は、無線広域ネットワークをサービスする基地局である、請求項１−１０のいずれか１項に記載の装置。
【請求項１２】
前記送信機は、前記基地局に関連付けられた複数のセクタのうちの１つへと前記メッセージを指向的に送信するようにさらに構成される、請求項１−６のいずれか１項に記載の装置。
【請求項１３】
前記送信機は、前記第２の無線ネットワークにおける送信の範囲内にある前記第１の無線ネットワーク内の無線デバイスに到達するのに十分な電力で前記メッセージを送信するようにさらに構成される、請求項１−６のいずれか１項に記載の装置。
【請求項１４】
前記処理システムは、前記第１および第２の無線ネットワークのうちの少なくとも１つにおけるリソース要件を予測し、前記予測に少なくとも部分的に基づいて、前記媒体を予約すべき前記時間インターバルを決定するようにさらに構成される、請求項１−１０のいずれか１項に記載の装置。
【請求項１５】
前記処理システムは、前記第１および第２のネットワークのうちの少なくとも１つにおけるリソース要件を動的に決定し、前記決定に少なくとも部分的に基づいて、前記媒体を予約すべき前記時間インターバルを決定するようにさらに構成される、請求項１−１０のいずれか１項に記載の装置。
【請求項１６】
前記処理システムは、前記第１の無線ネットワークにおける公平性を確実にするために、基準に少なくとも部分的に基づいて前記媒体を予約すべき前記時間インターバルを決定するようにさらに構成される、請求項１−１０のいずれか１項に記載の装置。
【請求項１７】
前記処理システムは、前記第２の無線ネットワークでの無線送信のための前記予約された媒体の前記時間インターバルに続いて、前記第１の無線ネットワークでの無線送信のための前記媒体を予約するために、前記第２の無線ネットワークへの送信のためのメッセージを生成するようにさらに構成される、請求項１−１０のいずれか１項に記載の装置。
【請求項１８】
前記装置は、無線ローカエルエリアネットワークのためのアクセスポイントである、請求項１−１０のいずれか１項に記載の装置。
【請求項１９】
前記処理システムは、ピア・ツー・ピア送信をサポートするように構成される、請求項１−１０のいずれか１項に記載の装置。
【請求項２０】
前記処理システムは、前記第２の無線ネットワーク内の無線デバイスが送信することを可能にするために、前記第２の無線ネットワークへの送信のためのメッセージを生成するようにさらに構成される、請求項１−１０のいずれか１項に記載の装置。
【請求項２１】
無線通信のための方法であって、
第１および第２の無線ネットワークの各々の１または複数の無線デバイスとの通信をサポートすることと、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成することと、
前記メッセージを前記第１の無線ネットワークへと送信することとを備え、
前記メッセージは前記第１のネットワークへと指向的に送信され、かつ前記第２のネットワークでの無指向性送信を可能にするために、前記第１のネットワークへと指向的に送信される、方法。
【請求項２２】
無線通信のための方法であって、
第１および第２の無線ネットワークの各々の１または複数の無線デバイスとの通信をサポートすることと、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成することと、
前記メッセージを前記第１の無線ネットワークへと送信することとを備え、
前記メッセージは前記第１のネットワークへと指向的に送信され、かつ前記第２のネットワークでの指向性送信を可能にするために、前記第１のネットワークへと指向的に送信される、方法。
【請求項２３】
無線通信のための方法であって、
第１および第２の無線ネットワークの各々の１または複数の無線デバイスとの通信をサポートすることと、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成することと、
前記メッセージを前記第１の無線ネットワークへと送信することを備え、
前記メッセージは、前記第２のネットワークでの指向性送信を可能にするために、前記第１のネットワークへと無指向的に送信される、方法。
【請求項２４】
無線通信のための方法であって、
第１および第２の無線ネットワークの各々の１または複数の無線デバイスとの通信をサポートすることと、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成することと、
前記メッセージを前記第１の無線ネットワークへと送信することとを備え、
前記メッセージは、前記第２のネットワークでの無指向性送信を可能にするために、前記第１のネットワークへと無指向的に送信される、方法。
【請求項２５】
無線通信のための方法であって、
第１および第２の無線ネットワークの各々の１または複数の無線デバイスとの通信をサポートすることと、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成することとを備え、
前記メッセージは、前記第１のネットワークへと指向的に送信され、および前記第２の無線ネットワーク内の送信側の無線デバイスの予想された位置をカバーする領域内へ指向的に送信される、方法。
【請求項２６】
無線通信のための方法であって、
第１および第２の無線ネットワークの各々の１または複数の無線デバイスとの通信をサポートすることと、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成することとを備え、
前記メッセージは、前記第１のネットワークへと指向的に送信され、および前記第２の無線ネットワークでの将来の送信の予想された範囲をカバーする領域内へ指向的に送信される、方法。
【請求項２７】
無線通信のための方法であって、
第１および第２の無線ネットワークの各々の１または複数の無線デバイスとの通信をサポートすることと、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成することと、前記メッセージは、ある時間インターバルの間前記媒体を予約するために、前記第１の無線ネットワークへの送信のために生成され、
前記時間インターバルに続いて、前記第１の無線ネットワークでの無線送信を調整することと、
前記第１の無線ネットワーク内の１または複数の無線デバイスについてのスリープスケジュールを決定することとを備える、方法。
【請求項２８】
無線通信のための方法であって、
第１および第２の無線ネットワークの各々の１または複数の無線デバイスとの通信をサポートすることと、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成することと、
前記媒体が予約されている間に、前記第２の無線ネットワークの前記無線送信を調整することと、
前記第２の無線ネットワークの１または複数の無線デバイスについてのスリープスケジュールを決定することとを備える、方法。
【請求項２９】
無線通信のための方法であって、
第１および第２の無線ネットワークの各々の１または複数の無線デバイスとの通信をサポートすることと、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成することと、
前記第２の無線ネットワークにおいて送信しようとする前記無線デバイスに関する情報を記憶することとを備える、方法。
【請求項３０】
無線通信のための方法であって、
第１および第２の無線ネットワークの各々の１または複数の無線デバイスとの通信をサポートすることと、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成することと、
前記第２の無線ネットワークにおいて送信しようとする前記無線デバイスの位置に関する情報を記憶することとを備える、方法。
【請求項３１】
前記メッセージは、無線広域ネットワークをサービスする基地局から送信される、請求項２１−３０のいずれか１項に記載の方法。
【請求項３２】
前記メッセージは、前記基地局に関連付けられた複数のセクタのうちの１つへと指向的に送信される、請求項２１−２６のいずれか１項に記載の方法。
【請求項３３】
前記メッセージは、前記第２の無線ネットワーク内の送信の範囲内にある前記第１の無線ネットワーク内の無線デバイスに到達するのに十分な電力で送信される、請求項２１−２６のいずれか１項に記載の方法。
【請求項３４】
前記第１および第２の無線ネットワークのうちの少なくとも１つにおけるリソース要件を予測することと、前記予測に少なくとも部分的に基づいて、前記媒体を予約すべき前記時間インターバルを決定することとをさらに備える、請求項２１−３０のいずれか１項に記載の方法。
【請求項３５】
前記第１および第２のネットワークのうちの少なくとも１つにおけるリソース要件を動的に決定することと、前記決定に少なくとも部分的に基づいて、前記媒体を予約すべき前記時間インターバルを決定することとをさらに備える、請求項２１−３０のいずれか１項に記載の方法。
【請求項３６】
前記第１の無線ネットワークにおける公平性を確実にするために、基準に少なくとも部分的に基づいて、前記媒体を予約すべき前記時間インターバルを決定することをさらに備える、請求項２１−３０のいずれか１項に記載の方法。
【請求項３７】
前記第２の無線ネットワークでの無線送信のための前記予約された媒体の前記時間インターバルに続いて、前記第１の無線ネットワークでの無線送信のための前記媒体を予約するために、前記第２の無線ネットワークへの送信のためのメッセージをさらに備える、請求項２１−３０のいずれか１項に記載の方法。
【請求項３８】
前記メッセージは、無線ローカエルエリアネットワークのためのアクセスポイントによって生成される、請求項２１−３０のいずれか１項に記載の方法。
【請求項３９】
ピア・ツー・ピア送信のサポートをさらに備える、請求項２１−３０のいずれか１項に記載の方法。
【請求項４０】
前記第２の無線ネットワークの無線デバイスが送信できるようにするために、前記第２の無線ネットワークへの送信のためのメッセージを生成することをさらに備える、請求項２１−３０のいずれか１項に記載の方法。
【請求項４１】
無線通信のための装置であって、
第１および第２の無線ネットワークの各々の１または複数の無線デバイスとの通信をサポートする手段と、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する手段と、
前記メッセージを前記第１の無線ネットワークへ送信する手段とを備え、
前記メッセージを送信する手段は、前記メッセージを前記第１のネットワークへ指向的に送信するように構成され、かつ前記第２のネットワークでの無指向性送信を可能にするために、前記メッセージを前記第１のネットワークへ指向的に送信するように構成される、装置。
【請求項４２】
無線通信のための装置であって、
第１および第２の無線ネットワークの各々の１または複数の無線デバイスとの通信をサポートする手段と、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する手段と、
前記メッセージを前記第１の無線ネットワークへ送信する手段とを備え、
前記メッセージを送信する手段は、前記メッセージを前記第１のネットワークへ指向的に送信するように構成され、かつ前記第２のネットワークでの指向性送信を可能にするために、前記メッセージを前記第１のネットワークへ指向的に送信するように構成される、装置。
【請求項４３】
無線通信のための装置であって、
第１および第２の無線ネットワークの各々の１または複数の無線デバイスとの通信をサポートする手段と、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する手段と、
前記メッセージを前記第１の無線ネットワークへ送信する手段とを備え、
前記メッセージを送信する手段は、前記第２のネットワークでの指向性送信を可能にするために、前記メッセージを前記第１のネットワークへ無指向的に送信するように構成される、装置。
【請求項４４】
無線通信のための装置であって、
第１および第２の無線ネットワークの各々の１または複数の無線デバイスとの通信をサポートする手段と、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する手段と、
前記メッセージを前記第１の無線ネットワークへ送信する手段とを備え、
前記メッセージを送信する手段は、前記第２のネットワークでの無指向性送信を可能にするために、前記メッセージを前記第１のネットワークへ無指向的に送信するように構成される、装置。
【請求項４５】
無線通信のための装置であって、
第１および第２の無線ネットワークの各々の１または複数の無線デバイスとの通信をサポートする手段と、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する手段と、
前記メッセージを前記第１のネットワークへ指向的に送信する手段とを備え、
前記メッセージを送信する手段は、前記第２の無線ネットワーク内の送信側の無線デバイスの予想された位置をカバーする領域内へ前記メッセージを指向的に送信するように構成される、装置。
【請求項４６】
無線通信のための装置であって、
第１および第２の無線ネットワークの各々の１または複数の無線デバイスとの通信をサポートする手段と、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する手段と、
前記メッセージを前記第１のネットワークへ指向的に送信する手段とを備え、
前記メッセージを送信する手段は、前記第２の無線ネットワークでの将来の送信の予想された範囲をカバーする領域内へ前記メッセージを指向的に送信するように構成される、装置。
【請求項４７】
無線通信のための装置であって、
第１および第２の無線ネットワークの各々の１または複数の無線デバイスとの通信をサポートする手段と、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する手段と、前記メッセージを生成する手段は、ある時間インターバルの間前記媒体を予約するために、前記第１の無線ネットワークへの送信のための前記メッセージを生成するように構成され、
前記時間インターバルに続いて、前記第１の無線ネットワークでの無線送信を調整する手段と、
前記時間インターバルに続いて、前記第１の無線ネットワーク内の１または複数の無線デバイスについてのスリープスケジュールを決定する手段とを備える、装置。
【請求項４８】
無線通信のための装置であって、
第１および第２の無線ネットワークの各々の１または複数の無線デバイスとの通信をサポートする手段と、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する手段と、
前記媒体が予約されている間に、前記第２の無線ネットワークでの前記無線送信を調整する手段と、
前記第２の無線ネットワーク内の１または複数の無線デバイスについてのスリープスケジュールを決定する手段とを備える、装置。
【請求項４９】
無線通信のための装置であって、
第１および第２の無線ネットワークの各々の１または複数の無線デバイスとの通信をサポートする手段と、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する手段と、
前記第２の無線ネットワークにおいて送信しようとする前記無線デバイスに関する情報を記憶する手段とを備える、装置。
【請求項５０】
無線通信のための装置であって、
第１および第２の無線ネットワークの各々の１または複数の無線デバイスとの通信をサポートする手段と、ここで、前記第１および第２の無線ネットワークは、共通のスペクトルおよび異なるエアインターフェースプロトコルを有し、
前記第１のネットワークでの送信を抑制し、前記第２の無線ネットワークでの無線送信のための媒体を予約するために、前記第１の無線ネットワークへの送信のためのメッセージを生成する手段と、
前記第２の無線ネットワークにおいて送信しようとする前記無線デバイスの位置に関する情報を記憶する手段とを備える、装置。
【請求項５１】
前記装置は、無線広域ネットワークをサービスする基地局である、請求項４１−５０のいずれか１項に記載の装置。
【請求項５２】
前記メッセージを送信する手段は、前記基地局に関連付けられた複数のセクタのうちの１つへ前記メッセージを指向的に送信するように構成される、請求項４１−４６のいずれか１項に記載の装置。
【請求項５３】
前記メッセージを送信する手段は、前記第２の無線ネットワーク内の送信の範囲内にある前記第１の無線ネットワーク内の無線デバイスに到達するのに十分な電力で前記メッセージを送信するように構成される、請求項４１−４６のいずれか１項に記載の装置。
【請求項５４】
前記第１および第２の無線ネットワークのうちの少なくとも１つにおけるリソース要件を予測する手段と、前記予測に少なくとも部分的に基づいて、前記媒体を予約する前記時間インターバルを決定する手段とをさらに備える、請求項４１−５０のいずれか１項に記載の装置。
【請求項５５】
前記第１および第２のネットワークのうちの少なくとも１つにおけるリソース要件を動的に決定する手段と、前記決定に少なくとも部分的に基づいて、前記媒体を予約すべき前記時間インターバルを決定する手段とをさらに備える、請求項４１−５０のいずれか１項に記載の装置。
【請求項５６】
前記第１の無線ネットワークにおいて公平性を確実にするために、基準に少なくとも部分的に基づいて、前記媒体を予約すべき前記時間インターバルを決定する手段をさらに備える、請求項４１−５０のいずれか１項に記載の装置。
【請求項５７】
前記第２の無線ネットワークでの無線送信のための前記予約された媒体の前記時間インターバルに続いて、前記第１の無線ネットワークでの無線送信のための前記媒体を予約するために、前記第２の無線ネットワークへの送信のためのメッセージを生成する手段をさらに備える、請求項４１−５０のいずれか１項に記載の装置。
【請求項５８】
前記装置は、無線ローカエルエリアネットワークのためのアクセスポイントである、請求項４１−５０のいずれか１項に記載の装置。
【請求項５９】
ピア・ツー・ピア送信をサポートする手段をさらに備える、請求項４１−５０のいずれか１項に記載の装置。
【請求項６０】
前記第２の無線ネットワーク内の無線デバイスが送信できるようにするために、前記第２の無線ネットワークへの送信のためのメッセージを生成する手段をさらに備える、請求項４１−５０のいずれか１項に記載の装置。
【請求項６１】
コンピュータ読取可能な媒体を備えるコンピュータ製品であって、
前記コンピュータ読取可能な媒体は、
コンピュータに対して、第１および第２の無線ネットワークの各々の１または複数の無線デバイスとの通信をサポートさせるコードと、ここで、前記第１および第２の無線ネットワークは、共通のスペクトルおよび異なるエアインターフェースプロトコルを有し、
コンピュータに対して、前記第１のネットワークでの送信を抑制し、前記第２の無線ネットワークでの無線送信のための媒体を予約するために、前記第１の無線ネットワークへの送信のためのメッセージを生成させるコードと、前記コンピュータに対してメッセージを生成させるコードは、ある時間インターバルの間、前記媒体を予約するために、前記第１の無線ネットワークへの送信のための前記メッセージを生成するように構成され、
前記コンピュータに対して、前記時間インターバルに続いて、前記第１の無線ネットワーク内の１または複数の無線デバイスについてのスリープスケジュールを決定させるコードと
を備える、コンピュータ製品。
【請求項６２】
コンピュータ読取可能な媒体を備えるコンピュータ製品であって、
前記コンピュータ読取可能な媒体は、
コンピュータに対して、第１および第２の無線ネットワークの各々の１または複数の無線デバイスとの通信をサポートさせるコードと、ここで、前記第１および第２の無線ネットワークは、共通のスペクトルおよび異なるエアインターフェースプロトコルを有し、
コンピュータに対して、前記第１のネットワークでの送信を抑制し、前記第２の無線ネットワークでの無線送信のための媒体を予約するために、前記第１の無線ネットワークへの送信のためのメッセージを生成させるコードと、
コンピュータに対して、前記媒体が予約されている間に、前記第２の無線ネットワークでの前記無線送信を調整させるコードと、
コンピュータに対して、前記媒体が予約されている間に、前記第２の無線ネットワーク内の１または複数の無線デバイスについてのスリープスケジュールを決定させるコードとを備える、コンピュータ製品。
【請求項６３】
コンピュータ読取可能な媒体を備えるコンピュータ製品であって、
前記コンピュータ読取可能な媒体は、
コンピュータに対して、第１および第２の無線ネットワークの各々の１または複数の無線デバイスとの通信をサポートさせるコードと、ここで、前記第１および第２の無線ネットワークは、共通のスペクトルおよび異なるエアインターフェースプロトコルを有し、
コンピュータに対して、前記第１のネットワークでの送信を抑制し、前記第２の無線ネットワークでの無線送信のための媒体を予約するために、前記第１の無線ネットワークへの送信のためのメッセージを生成させるコードと、
コンピュータに対して、前記第２の無線ネットワークにおいて送信しようとする前記無線デバイスに関する情報を記憶させるコードと
を備える、コンピュータ製品。
【請求項６４】
コンピュータ読取可能な媒体を備えるコンピュータ製品であって、
前記コンピュータ読取可能な媒体は、
コンピュータに対して、第１および第２の無線ネットワークの各々の１または複数の無線デバイスとの通信をサポートさせるコードと、ここで、前記第１および第２の無線ネットワークは、共通のスペクトルおよび異なるエアインターフェースプロトコルを有し、
コンピュータに対して、前記第１のネットワークでの送信を抑制し、前記第２の無線ネットワークでの無線送信のための媒体を予約するために、前記第１の無線ネットワークへの送信のためのメッセージを生成させるコードと、
コンピュータに対して、前記第２の無線ネットワークにおいて送信しようとする前記無線デバイスの位置に関する情報を記憶させるコードと
を備える、コンピュータ製品。
【請求項６５】
コンピュータに対して、前記第１および第２の無線ネットワークのうちの少なくとも１つにおけるリソース要件を予測させるコードと、コンピュータに対して、前記予測に少なくとも部分的に基づいて、前記媒体を予約すべき前記時間インターバルを決定させるコードとをさらに備える、請求項６１−６４のいずれか１項に記載のコンピュータ製品。
【請求項６６】
コンピュータに対して、前記第１および第２のネットワークのうちの少なくとも１つにおけるリソース要件を動的に決定させるコードと、コンピュータに対して、前記決定に少なくとも部分的に基づいて、前記媒体を予約すべき前記時間インターバルを決定させるコードとをさらに備える、請求項６１−６４のいずれか１項に記載のコンピュータ製品。
【請求項６７】
前記第１の無線ネットワークにおいて公平性を確実にするために、コンピュータに対して、基準に少なくとも部分的に基づいて、前記媒体を予約すべき前記時間インターバルを決定させるコードをさらに備える、請求項６１−６４のいずれか１項に記載のコンピュータ製品。
【請求項６８】
コンピュータに対して、前記時間インターバルに続いて、前記第１の無線ネットワークでの無線送信を調整させるコードをさらに備える、請求項６１−６４のいずれか１項に記載のコンピュータ製品。
【請求項６９】
前記第２の無線ネットワークにおいて無線送信のための前記予約された媒体の前記時間インターバルに続いて、前記第１の無線ネットワークでの無線送信のために前記媒体を予約するために、コンピュータに対して、前記第２の無線ネットワークへの送信のためのメッセージを生成させるコードをさらに備える、請求項６１−６４のいずれか１項に記載のコンピュータ製品。
【請求項７０】
コンピュータに対して、ピア・ツー・ピア送信をサポートさせるコードをさらに備える、請求項６１−６４のいずれか１項に記載のコンピュータ製品。
【請求項７１】
コンピュータに対して、前記第２の無線ネットワーク内の無線デバイスが送信できるようにするために、前記第２の無線ネットワークへの送信のためのメッセージを生成させるコードをさらに備える、請求項６１−６４のいずれか１項に記載のコンピュータ製品。
【発明の詳細な説明】
【技術分野】
【０００１】
[0001]  本開示は一般に無線通信に関し、さらに詳細には、複数のネットワーク間の干渉管理に関する。
【背景技術】
【０００２】
[0002]  近年、短距離無線ネットワークの展開が驚異的に成長してきている。このネットワークは、例えば、短距離または室内アプリケーション用の消費者電子ワイヤ置換システムなどのために使用されうる。これらのネットワークは、時々、無線パーソナルエリアネットワーク（ＷＰＡＮ：Wireless Personal Area Network）と呼ばれ、ビデオ、オーディオ、テキスト、および他の媒体を無線デバイス間で転送するのに有益である。典型的に、ＷＰＡＮは、非常に低いエネルギレベルで、短距離の高帯域幅通信を可能にするいくつかの技術を使用する。１つのそのような例は、ウルトラワイドバンド（ＵＷＢ：Ultra-Wideband）であり、これは、広い帯域幅（すなわち、５００ＭＨｚよりも大きい）に広がって情報を送信するための技術である。最適な（right）条件下では、ＵＷＢ技術は、他のユーザと同一のスペクトルを共有することができる。ＷＰＡＮの他の例は、ブルートゥースおよび無線ローカルエリアネットワーク（ＷＬＡＮ：Wireless Local Area Network）である。
【０００３】
[0003]  ＷＰＡＮ技術に加えて、例として、移動通信のためのグローバルシステム（ＧＳＭ（登録商標）：Global System for Mobile Communications）、ユニバーサル移動通信システム（ＵＭＴＳ：Universal Mobile Telecommunications System）、ロングタームエボリューション（ＬＴＥ：Long Term Evolution）、符号分割多元接続（ＣＤＭＡ）ネットワークのような無線広域ネットワーク（ＷＷＡＮ：Wireless Wide Area Network）が存在する。ＷＷＡＮは、モバイルデバイスと別のモバイルまたは固定デバイスとの間で基地局を介して長距離通信をサポートできる。新しい技術の到来により、ＷＷＡＮは、音声に加え、様々なデータアプリケーションに対して益々利用されている。ＷＰＡＮとの１つの重要な違いは、ＷＰＡＮが未許可のスペクトルで動作するのに対して、ＷＷＡＮは、許可されたスペクトルで動作することである。
【０００４】
[0004]  ラジオ技術の進歩にかかわらず、これらのネットワークがより広く行き渡るようになり、互いのより近傍で動作し始めるため、干渉は、いっそう懸念される。結果として、当技術分野において、近傍で動作し、同一のスペクトルを共有する無線ネットワーク間での連携（cooperation）が必要である。
【発明の概要】
【０００５】
[0005]  本開示の１つの態様において、無線通信のための装置は、第１および第２の無線ネットワークの各々の１または複数の無線デバイスとの通信をサポートし、なお、第１および第２の無線ネットワークは、共有のスペクトルおよび異なるエアインターフェースプロトコルを有する、第１のネットワークでの送信を抑制し、第２の無線ネットワークでの無線送信のための媒体（medium）を予約（reserve）するために、第１の無線ネットワークへの送信のためのメッセージを生成するように構成された処理システムを含む。
【０００６】
[0006]  本開示の別の態様において、無線通信のための装置は、第１および第２の無線ネットワークの各々の１または複数の無線デバイスとの通信をサポートする手段と、なお、第１および第２の無線ネットワークは、共有のスペクトルおよび異なるエアインターフェースプロトコルを有する、第１のネットワークでの送信を抑制するため、および、第２の無線ネットワークでの無線送信のための媒体を予約するために、第１の無線ネットワークへの送信のためのメッセージを生成する手段とを含む。
【０００７】
[0007]  本開示のさらに別の態様において、無線通信のための方法は、第１および第２のネットワークの各々の１または複数の無線デバイスとの通信をサポートすることと、なお、第１および第２の無線ネットワークは、共有のスペクトルおよび異なるエアインターフェースプロトコルを有する、第１のネットワークでの送信を抑制し、第２の無線ネットワークでの無線送信のための媒体を予約するために、第１の無線ネットワークへの送信のためのメッセージを生成することとを含む。
【０００８】
[0008]  本開示のさらなる態様において、コンピュータ製品はコンピュータ読取可能な媒体を含み、このコンピュータ読取可能な媒体は、コンピュータに対して、第１および第２の無線ネットワークの各々の１または複数の無線デバイスとの通信をサポートさせるコードと、なお、第１および第２の無線ネットワークは、共有のスペクトルおよび異なるエアインターフェースプロトコルを有する、コンピュータに対して、第１のネットワークでの送信を抑制し、第２の無線ネットワークでの無線送信のための媒体を予約するために、第１の無線ネットワークへの送信のためのメッセージを生成させるコードとを備える。
【０００９】
[0009]  装置および方法の様々な態様、並びに、それらが動作する環境が、以下に続く詳細な説明および添付の図面で提示される。
【図面の簡単な説明】
【００１０】
【図１】図１は、無線ネットワークの例を示す概念ブロック図である。
【図２】図２は、無線ネットワークの別の例を示す概念ブロック図である。
【図３】図３は、無線ネットワークで使用するための無線デバイスの例を示す概念ブロック図である。
【図４】図４は、無線通信システムの例を示す概念ブロック図である。
【図５】図５は、無線通信システムにおける無線ネットワークの例を示す概念ブロック図である。
【図６】図６は、無線デバイス内の処理システムの機能の例を示すフロー図である。
【図７】図７は、無線ネットワークで使用するための無線デバイスの機能の例を示す概念ブロック図である。
【発明が実施される形態】
【００１１】
[0017]  装置および方法の様々な態様、およびそれらが動作する環境が以下で説明されるだろう。しかしながら、装置および方法は、多くの異なる形式で組み込まれることができ、本開示全体を通して提示される様々な構成に限定されると解釈されるべきではない。むしろ、これらの装置および方法の様々な態様は、本開示を徹底的および完全なものにして、本発明の範囲を当業者に十分に伝達するために、提供される。当業者が容易に認識するように、様々な詳細は、装置および方法の完全な理解を提供する目的で提示されうるが、これらの装置および方法のステップの様々な構成は、これらの特定な詳細なく実現されうる。いくつかの例において、周知の構造およびコンポーネントは、本開示全体を通して提示される様々なコンセプトを不明瞭にしないためにブロック図の形式で示される。
【００１２】
[0018]  装置および方法の様々な態様が無線通信システムを参照して提示される。無線通信システムは、互いの近傍で動作し、同一のスペクトルを共有する複数のネットワークを含む。共有されるスペクトルは、許可または未許可でありうる。未許可のスペクトル共有の例として、同一のＵＷＢスペクトルを利用する２つの異なる技術は、同時に動作しうる。許可されたスペクトル共有の例として、無線オペレータは、同一のスペクトルで２つの異なる無線ネットワーク技術を展開することを選択しうる。例として、１つの無線ネットワーク技術は、ＬＴＥのような長距離のＷＷＡＮ技術であり、第２の無線ネットワーク技術は、中距離または短距離のピア・ツー・ピア（ｐ２ｐ）無線通信技術でありうる。そのような技術の組み合わせ（スペクトルを共有する長距離と短距離）もまた、ＴＶホワイトスペースのような未許可のスペクトルに適用可能である。あるいは、複数の長距離および／または中距離および／または短距離のネットワークは、同一のスペクトルを共有しうる。共通またはオーバラップしたスペクトルを共有する２つの無線ネットワークに参加するデバイスは、第１のネットワークでの送信を抑制して、第２のネットワークでの送信を可能にするために使用されうる。続いて、第２のネットワークが共有の無線媒体を利用した後、第１のネットワークは、媒体への送信を再開しうる。デバイスは、第１のネットワークでの送信の再開を可能にするために、メッセージを送信しうる。いくつかの無線構成において、第１のネットワークでのそのような送信の抑制は、第２のネットワークでの指向性送信または無指向性送信を可能にするために、指向的に行われうる。他の無線構成において、第１のネットワークでのそのような送信の抑制は、第２のネットワークでの指向性送信または無指向性送信を可能にするために、無指向的に行われうる。指向性送信という用語が、無指向性ではない送信に対して使用されることに注意されたい。無指向性送信は、送信機を中心とした２ｄプレーンにおける３６０度または２πラジアン、あるいは、送信機を中心とした３ｄプレーンにおける４πステラジアンの角度送信範囲を含む送信を指す。指向性送信は、送信機を中心とした角度＜２π、または、送信機を中心とした３ｄ立体角＜４πを含む角度送信範囲を指す。この無線通信システム内で動作することができるネットワークの例が図１を参照して提示される。この例において、ネットワーク１０２は、ＵＷＢ技術を用いるＷＰＡＮでありうる、上述されたように、ＵＷＢは、広い帯域幅にわたって高速通信を提供する技術である。ＵＷＢ信号が、極めて少ない電力を消費する極めて短いパルスで送信されるため、この技術は、ＷＰＡＮアプリケーションに適している。しかしながら、当業者が容易に認識するように、この開示全体を通して提示される様々な態様は、広範囲のネットワークおよび通信プロトコルに拡張されうる。例として、本開示全体を通して説明される技法は、ブルートゥースのような未許可のスペクトルを使用する１または複数の他のネットワーク、またはＷＬＡＮに拡張されうる。この技法はまた、ＷＷＡＮに関連付けられたもののような許可された他の帯域、または、ＴＶホワイトスペース帯域のよう��新興の利用可能な帯域に適用されうる。あるいは、または、加えて、１または複数のネットワークは、ＣＤＭＡ ２０００を実現するためのＣＤＭＡ技術、ＬＴＥ技術、ＵＭＴＳ地上波ラジオアクセス（ＵＴＲＡ）、ＧＳＭを実現するための時分割多元接続（ＴＤＭＡ）、発展型ＵＴＲＡ（Ｅ−ＵＴＲＡ）を実現するための直交周波数分割多元接続（ＯＦＤＭＡ）、ウルトラモバイルブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュＯＦＤＭ、あるいは、別のネットワークからの干渉の影響を受けやすい可能性がその他のラジオ技術および／または通信プロトコルを用いうる。結果として、装置および方法の様々な態様の応用範囲が広いという認識のもと、ＵＷＢ技術を用いるＷＰＡＮへの任意の参照は、そのような態様を例示することのみを目的としている。
【００１３】
[0019]  ネットワーク１００は、ユーザのパーソナルエリア全体に分散した様々な装置と共に示される。この例において、コンピュータ１０２は、デジタルカメラ１０４からデジタルフォトを受信し、印刷するために文書をプリンタ１０６に送信し、携帯情報端末（ＰＤＡ）１０８上の電子メールと同期し（synch-up）、ミュージックファイルをデジタルオーディオプレーヤ（例えば、ＭＰ３プレーヤ）１１０に転送し、データおよびファイルをモバイル記憶デバイス１１２にバックアップし、無線ハブ１１４を介してリモートネットワーク（例えば、インターネット）と通信しうる。ネットワーク１００はまた、人体に装着可能であるか、あるいは、埋め込む（implant）ことができるモバイルかつコンパクトな多数の装置を含みうる。例として、人は、トランスデューサからコンピュータ１０２にオーディオを送信するヘッドセット１１６（例えば、ヘッドフォン）、時間または他の情報をユーザインターフェースからコンピュータ１０２に送信する時計１１８、および／または、バイタルな体のパラメータ（例えば、バイオメトリックセンサ、心拍数モニタ、万歩計（登録商標）、およびＥＫＧデバイス、等）をモニタリングするセンサ１２０を装着している可能性がある。センサ１２０は、人の体からコンピュータ１０２に情報を送信し、この情報は、無線ハブ１１４を介して医療関係の施設（例えば、病院、クリニック、等）に転送されうる。
【００１４】
[0020]  装置は、本明細書において、「無線デバイス」と呼ばれるが、当業者は、ハンドセット、加入者ユニット、加入者局、モバイル局、モバイル加入者局、モバイルユニット、モバイルラジオ、ラジオ電話、無線モデム、リモート局、リモート端末、アクセス端末、ユーザ端末、端末、無線通信デバイス、ユーザデバイス、ユーザ機器（ＵＥ）、ノード、アクセスポイント、基地局、ノードＢ、ｅノードＢ、または、通信プロトコルをサポートすることができる無線デバイスを説明するその他適切な用語でも呼びうる。本開示全体にわたって説明される様々なコンセプトは、それらの特定の用語に関係なく、すべての適切な装置に適用されることが意図される。
【００１５】
[0021]  本開示全体を通して提示される様々なコンセプトは、近傍で動作し、同一のスペクトルを共有する他の無線ネットワークからの、ネットワーク１００が経験する干渉を減らすために使用されうる。しかしながら、これらのコンセプトは、当業者によって他の通信環境に拡張されうる。例として、これらのコンセプトは、ＷＷＡＮに関連付けられたもののような許可された帯域、または、ＴＶホワイトスペース帯域のような新興の利用可能な帯域に適用されうる。ＴＶホワイトスペース帯域およびそのような帯域で動作する新興のネットワークにおいて、複数のエアインターフェースプロトコルは、同一の周波数帯域において同時に送信している可能性がある。これらの展開のうちのいくつかは、広いカバレジ領域を有するマクロネットワークと、同一のスペクトルを共有するより低い電力のマイクロ（またはピコ）ネットワークを含みうる。代替的に、ピコネットワークは、マクロネットワークでの干渉により互いに通信することができない無線デバイスを備えるため、マクロネットワークでの送信を抑制して、ピコネットワーク内の無線デバイスが送信できるようにすることが望まれる。マスタ無線デバイスが両方に参加する能力を有する場合、それは、マクロネットワーク内の他の無線デバイスに対して、ある時間インターバルの間それらの送信を抑制するように警告し、ピコネットワーク内の無線デバイスがその時間インターバルの間送信を開始できるようにする。これは、様々な方法で達成されうる。例として、マスタ無線デバイスは、特定の時間インターバルの間マクロネットワーク内での送信を抑制するために、マクロネットワークにおいてメッセージを送信しうる。マスタ無線デバイスはまた、メッセージをピコネットワークに送信して、ピコネットワーク内の無線デバイスがその時間インターバルの間に送信することを可能にする。その後、その時間インターバルに続いて、マスタ無線デバイスは、ピコネットワーク内の送信を抑制するために、ピコネットワークにおいてメッセージを送信し、マクロネットワーク内でのメッセージの送信を可能にするためにマクロネットワークにおいてメッセージを送信することができる。マクロネットワークでのそのような送信の抑制は、指向的な方法でも同様に行われうる。ピコネットワーク内の無線デバイスがすべて、マクロネットワークにおけるマスタ無線デバイスのアソシエーション（association）に対して指向的エリア内にある場合、指向的抑制が有益である。マスタ無線デバイスは、ピコネットワークで送信しようとする無線デバイスについてのアプリオリ（a priori）知識を有するため、それは、マクロネットワークにおいて指向的に適切な方向で選択的に送信を抑制することができる。マスタ無線デバイスはまた、ピコネットワークで送信しようとする無線デバイスの正確な、またはおよその位置（location）についてのアプリオリ知識を有しうる。指向性送信は、マスタ無線デバイスに関連付けられたセクタまたは角度領域において実行されうる。指向性送信は、指向性アンテナ、ビームフォーミング技法を使用するアンテナアレイ、または、その他いくつかの適切な手段によって達成されうる。適切な送信電力もまた、ピコネットワークにおける差し迫った将���の送信に気付く必要があるマクロネットワーク内の無線デバイスにメッセージが到達するのに十分なように、メッセージを送信するために選択されうる。
【００１６】
[0022]  いくつかの無線構成では、第１のネットワーク（例えば、より大きい範囲の）において、指向的抑制が有効にされ、それによって第２のネットワーク（例えば、より小さい範囲の）における無指向性送信または指向性送信のいずれかが可能になる。他の無線構成では、第１のネットワーク（例えば、より狭い範囲の）において、無指向的抑制が有効にされ、それによって、第２のネットワーク（例えば、より広い範囲の）における無指向性送信または指向性送信のいずれかが可能になる。
【００１７】
[0023]  いくつかの無線構成において、無線ネットワークにおける指向的な方法での送信の抑制は、適切に設計された媒体アクセス制御（ＭＡＣ）レイヤを用いて有効にされうる。指向性送信をサポートする第１および第２の無線ネットワーク内のノードは、それらの相対角度領域についての情報を交換する。１つの実施形態において、指向性送信および受信をサポートする性能は、ビーコンフレームまたは他のＭＡＣフレーム内の１または複数の新しい情報エレメントで伝達されうる。
【００１８】
[0024]  ここで、無線通信システムのいくつかの態様が図２を参照して提示されるだろう。無線通信システムは、基地局２０２と通信状態にあるいくつかの無線デバイス２０４を備えたＷＷＡＮ ２００と共に示される。無線デバイス２０４は、セルラ電話として示されているが、コードレス電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲームコンソール、または、無線接続性能を有するその他の適切なデバイスでありうる。基地局２０２は、任意の適切な無線アクセスプロトコルをサポートするように構成されうる。例として、基地局２０２は、ＧＳＭ、ＵＭＴＳ、ＬＴＥ、ＣＤＭＡ、またはその他適切な無線アクセスプロトコルをサポートしうる。特定の通信システムのために基地局２０２によって用いられる実際の無線アクセスプロトコルは、特定のアプリケーションおよびシステムに課せられた設計制約全体に依存するだろう。本開示全体を通して提示される様々なコンセプトは、すべての適切な無線通信システムによってサポートされる無線アクセスプロトコルに関係なく、そのようなシステムに適用されることが意図される。
【００１９】
[0025]  基地局２０２は、いくつかのトランシーバ（図示されない）を含み、それによって、基地局２０２は、異なるアンテナ、またはアンテナエレメントの異なる配列を用いて、セルラ領域の複数のセクションにサービス提供することができる。この構成の場合、基地局２０２は、セルの各セクタをカバーするために指向性ビームを形成することができる。この例において、基地局２０２は、アンテナエレメントの各配列が１２０°のカバレッジを提供する状態で、３つのセクタにサービス提供するように構成される。このコンセプトを示すために、基地局２０２は、第１のセクタでは１つの無線デバイス２０４Ａと、第２のセクタでは２つの無線デバイス２０４Ｂと、第３のセクタでは１つの無線デバイス２０４Ｃと通信状態にある状態で示される。
【００２０】
[0026]  無線通信システムはまた、ＷＬＡＮ ２１０がＷＷＡＮ ２１０のセクタ内で動作している状態で示される。ＷＬＡＮは、無線ハブ２１２を介してＷＷＡＮ ２００を通してリモートネットワーク（例えば、インターネット）と通信可能な多数のコンピュータ２１４を備えるピア・ツー・ピアネットワークとして示される。ＷＬＡＮ ２１０は、例として、ＵＷＢ、ブルートゥース、ＩＥＥＥ ８０２．１１、等を含む任意の適切な無線アクセスプロトコルをサポートするように構成されうる。この例において、ＷＬＡＮ ２１０は、ＷＷＡＮ ２００と同一のスペクトルを共有し、よって、ＷＷＡＮ２００の第３のセクタ内の送信を抑制して、ＷＬＡＮ ２１０内の無線デバイスがより少ない干渉で送信できるようにすることが望まれうる。基地局２０２が両方のネットワークに参加する能力を有するため、それは、ある時間インターバルの間送信を抑制するようにＷＷＡＮ ２００内の無線デバイス２０４Ｃに警告し、ＷＬＡＮ ２１０内の無線デバイス２１２、２１４がその時間インターバル間、送信を進めるようにすることができる。これは、様々な方法で達成されうる。例として、基地局２０２は、無線デバイス２０４Ｃの送信を抑制するために、ＷＷＡＮ ２００の第３のセクタへと指向的にメッセージを送信しうる。基地局２０２は、また、メッセージをＷＬＡＮ ２１０内の無線ハブ２１２に送って、ＷＬＡＮ ２１０内の無線デバイス２１２、２１４がこの時間インターバル間送信することを可能にする。その後、この時間インターバルに続いて、基地局２０２は、ＷＬＡＮ ２１０内での送信を抑制するために、ＷＬＡＮ ２１０内の無線ハブ２１２にメッセージを送信し、ＷＷＡＮ ２００の第３のセクタへとメッセージを送って、無線デバイス２０４Ｃによる送信を可能にすることができる。
【００２１】
[0027]  図３は、無線デバイス３０４についてのハードウェア構成の例を示す概念図である。この例において、無線デバイス３０４は、ユーザインターフェース３０２（例えば、キーパッド、ディスプレイ、スピーカ、マイクロフォン、ジョイスティック、および／またはユーザインターフェースデバイスのその他任意の組み合わせ）、処理システム３０６、および複数のトランシーバ３０８、３１０と共に示されるが、各無線デバイス３０４は、任意の数のトランシーバを含みうる。処理システム３０６は、一般的にプロセッサ３１２で表される１または複数のプロセッサおよびコンピュータ読取可能な媒体（例えば、メモリ）３１４を有しうる。
【００２２】
[0028]  処理システム３０６は、ソフトウェア、ハードウェア、または両方の組み合せを用いて実現されうる。例として、プロセッサ３１２は、マイクロプロセッサ、デジタル信号プロセッサ（ＤＳＰ）、特定用途向け集積回路（ＡＳＩＣ）、マイクロコントローラ、フィールドプログラマブルゲートアレイ（ＦＰＧＡ）または他のプログラマブル論理、ステートマシン、ディスクリートゲート、トランジスタ論理、ディスクリートハードウェアコンポーネント、あるいは、本開示全体を通して提示された様々な機能を実行するように設計された他の処理エンティティのうちの１または複数あるいはそれらの任意の組み合わせで実現されうる。当業者は、特定のアプリケーションおよびシステム全体に課せられた設計制約全体に依存して、処理システム３０６について説明された機能を実現する最良の方法を認識するだろう。
【００２３】
[0029]  ソフトウェアは、ソフトウェア、ファームウェア、ミドルウェア、マイクロコード、ハードウェア記述言語で呼ばれようと呼ばれまいと、命令、データ、またはそれらの任意の組み合わせを意味するように広く解釈されるべきである。コンピュータ読取可能な媒体は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（電気的消去可能なプログラマブル読取専用メモリ）、レジスタ、磁気ディスク、光ディスク、ハードドライブ、またはその他適切な記憶媒体、あるいはそれらの組み合わせを含みうる。コンピュータ読取可能な媒体は、コンピュータ製品に組み込まれうる。コンピュータ製品は、パッケージングマテリアルを備えうる。
【００２４】
[0030]  図３に提示された概念的な例において、コンピュータ読取可能な媒体３１０は、プロセッサ３１２から分離した処理システム３０６の一部として示されている。しかしながら、当業者が容易に認識するように、コンピュータ読取可能な媒体３１４またはその一部は、処理システム３０６の外部にありうる。例として、コンピュータ読取可能な媒体３１４は、送信回線、データによって変調されたキャリア波、および／または、無線デバイス３０４から分離されたコンピュータ製品を含み、それらすべては、インターフェース（図示されない）を通してプロセッサ３１２によってアクセスされうる。代替的または追加的に、コンピュータ読取可能な媒体３１４、またはその一部は、キャッシュおよび／または汎用レジスタファイルを用いた場合のように、プロセッサ３１２に一体化されうる。
【００２５】
[0031]  各トランシーバ３０８、３１０は、送信側および／または受信側の機能を提供しうる。送信側の機能は、無線媒体を通る送信のためにデータでキャリアを変調する送信機（３０８ａ、３１０ａ）で実現され、受信側の機能は、データを復元するために無線媒体を通して受信されたキャリアを復調する受信機（３０８ｂ、３１０ｂ）で実現されうる。各トランシーバ３０８、３１０はまた、ＲＦフロントエンド処理、アナログ／デジタル変換、タイミングおよび周波数推定、チャネル推定、変調符号化スキーム（ＭＣＳ）、等、様々な他の機能を提供しうる。つまり、各トランシーバ３０８、３１０は、特定のエアインターフェースプロトコルのための完全な物理レイヤ実現を提供するように構成されうる。この実現は、当業者の能力が十分に対応できる範囲にある。
【００２６】
[0032]  この例において、２つのトランシーバ３０８、３１０は、無線デバイス３０４が、異なる物理レイヤおよび媒体アクセス制御（ＭＡＣ）プロトコルを有する２つのネットワークに参加することを可能にする。第１のトランシーバ３０８は、第１のネットワークのための物理レイヤプロトコルを実現し、第２のトランシーバ３１０は、第２のネットワークのための物理レイヤプロトコルを実現する。処理システム３０６は、複数のネットワークのためのＭＡＣプロトコルをサポートし、トランシーバを切り換えて無線デバイス３０４が両方のネットワークに参加することを可能にするように構成される。
【００２７】
[0033]  プロセッサ３１２は、コンピュータ読取可能な媒体３１４上に記憶されたソフトウェアの実行を含む汎用処理機能を提供する。ソフトウェアは、プロセッサ３１２によって実行されると、本開示全体を通して提示される様々な機能を処理システム３０６に実行させる命令を含む。最も一般的な条件では、処理システム３０６が物理レイヤ上のすべての機能を実現するように構成されるが、当業者が認識するように、物理レイヤ上の様々な機能は、トランシーバ３０８、３１０においても実現されうる。さらに、トランシーバ３０８、３１０によって実現されているとして上述された様々な物理レイヤ機能は、処理システム３０６によって実現されうる。
【００２８】
[0034]  無線ネットワークで動作する無線デバイスは、無線アクセスプロトコルを利用して、媒体を得るために他の無線デバイスと争いうる。特定の無線ネットワークのための無線アクセスプロトコルは、特定のアプリケーションおよびシステムに課せられた設計制約全体に依存するだろう。説明する目的のためだけに、例示的な無線アクセスプロトコルが提示されるだろう。当業者は、本開示全体を通して提示されるコンセプトを他の適切な無線アクセスプロトコルに容易に拡張することができるであろう。
【００２９】
[0035]  無線アクセスプロコトルは、無線デバイス内の様々なコンポーネント、モジュール、および／またはエレメントによって実現されうる。本開示で使用される場合、「コンポーネント」、「モジュール」、「エレメント」という用語は、ハードウェア、ファームウェア、ハードウェアとソフトウェアの組み合わせ、ソフトウェア、または実行中のソフトウェアのいずれかを指すことが意図される。例として、コンポーネント、モジュール、またはエレメントは、プロセス、オブジェクト、実行ファイル、実行スレッド、プログラム、アプリケーション、ルーチン、サブルーチン、コードまたは命令のブロック、あるいは、プロセッサ３１２または別の処理デバイスによって実行されるその他のソフトウェアでありうる。この例において、これらのコンポーネント、モジュール、エレメントは、単一の記憶デバイス、複数の記憶デバイス、または他の媒体を表すコンピュータ読取可能な媒体３１４に存在しうる。例として、コンポーネント、モジュール、またはエレメントは、実行前に、より大きな記憶デバイスからＲＡＭへとロードされうる。実行中、プロセッサ３１２は、コンポーネント、モジュール、またはエレメント、あるいは、それらの任意の部分をキャッシュにロードして、アクセス速度を高めうる。次に、１または複数のキャッシュラインが、プロセッサ３１２による実行のために汎用レジスタファイルにロードされうる。ソフトウェアアプリケーション内のコンポーネント、モジュール、またはエレメントの機能を参照する場合、そのような機能が、コンポーネント、モジュール、またはエレメント、あるいはその一部を実行した場合にプロセッサ３１２によって実現されうることは理解されるだろう。
【００３０】
[0036]  ここで、無線アクセスプロトコルを実現するための様々なコンポーネント、モジュール、およびエレメントが図４を参照して提示されるだろう。図４は、無線通信システムの例を示す概念図である。無線通信システム４００は、２つのネットワーク４０２ａ、４０２ｂで示されるが、任意の数のネットワークで形成されうる。この例において、２つのネットワーク４０２ａ、４０２ｂは、同じ近傍に存在し、同じ未許可のスペクトルを共有する。例として、第１の無線ネットワーク４０２ａは、媒体アクセス制御および物理（ＭＡＣ／ＰＨＹ）レイヤのための特定のプロトコルを有するＵＷＢネットワークであり、第２のネットワーク４０２ｂは、異なるＭＡＣ／ＰＨＹプロトコルを有するＵＷＢネットワークでありうる。しかしながら、当業者が容易に認識するように、この開示全体を通して提示される様々な態様は、広範囲のネットワークおよび通信プロトコルに拡張され、それらの多くは、本開示において以上で識別されている。
【００３１】
[0037]  両方のネットワーク４０２ａ、４０２ｂに参加する能力を有する無線デバイス４０４は、干渉を減らすために、２つのネットワークでの送信の調整を支援しうる。例として、無線デバイス４０４は、メッセージを第１のネットワーク４０２ａへとブロードキャストすることによって、第２のネットワーク４０２ｂ内の無線デバイス４０４ｂ間での無線送信のために媒体を予約しうる。媒体は、メッセージで特定された、あるいは、いくつかの他の手段で特定された時間インターバル（Ｔ１）の間予約されうる。時間インターバル（Ｔ１）の間、第１のネットワーク４０２ａ内の無線デバイス４０４ａは、無線送信に従事しない。
【００３２】
[0038]  時間インターバル（Ｔ１）に続いて、即座に、または、ある時間を置いて、無線デバイス４０４は、第２のネットワーク４０２ｂへとメッセージをブロードキャストすることによって、第１のネットワーク４０２ａ内の無線デバイス４０４ａ間での無線送信のために媒体を予約しうる。媒体は、メッセージで特定された、あるいは、いくつかの他の手段で特定された時間インターバル（Ｔ２）の間予約されうる。時間インターバル（Ｔ２）の間、第２のネットワーク４０２ｂ内の無線デバイス４０４ｂは、無線送信に従事しない。
【００３３】
[0039]  無線デバイス４０４は、任意の数のパラメータ、要因、および／またはメトリックに基づいて、２つのネットワーク４０２ａ、４０２ｂ間での無線送信の順序付け（sequencing）を決定しうる。例として、送信の順序付けは、ネットワーク４０２ａ、４０２ｂの各々による将来の送信リソース要件の予測および／または現在の送信リソース要件に基づいて決定されうる。制約は、公平性（fairness）を確実にするために、２つのネットワーク４０２ａ、４０２ｂ間での無線送信の順序付けに適用されうる。送信の順序付けは、時間の関数として、周期的にまたは非周期的でありうる。
【００３４】
[0040]  少なくとも１つの構成において、無線デバイス４０４は、媒体が１つのネットワーク内の無線デバイスのために予約された場合に、第１および第２のネットワーク４０２ａ、４０２ｂ内の無線デバイス間での送信を調整するように構成されうる。この構成において、無線デバイス４０４は、第１のネットワーク４０２ａ内の無線デバイス４０４ａ間での無線送信のために媒体を予約した後、そのような送信すべてをスケジューリングする。同様に、第２のネットワーク４０２ｂ内の無線デバイス４０４ｂ間での無線送信のために媒体を予約した後、無線デバイス４０４は、そのような送信すべてをスケジューリングする。これは、例として、制御チャネルで送信スケジュールを適切なネットワークにブロードキャストすることによって達成されうる。送信スケジュールは、無線デバイスとの制御信号の交換に基づいて無線デバイス４０４によって決定されうる。無線デバイス４０４はまた、無線デバイスについてのスリープスケジュール（sleep schedule）をブロードキャストに含みうる。
【００３５】
[0041]  これまで説明された無線デバイス４０４は、第１の無線ネットワーク４０２ａと第２の無線ネットワーク４０２ｂとの間での無線送信を順序付けることに対して責任を有する。代替的に、無線デバイス４０４は、両方のネットワークに参加することができる他の無線デバイスと協力して、この順序付けを決定しうる。通信システム中の異なる位置に分散するこれらの無線デバイスは、制御チャネルを通して情報を交換し、２つのネットワーク４０２ａ、４０２ｂ間での送信の順序付けを最適化するために協力することができる。これらの無線デバイスの各々は、媒体が、ネットワークのうちの１つのネットワーク内のスレーブデバイスに対して予約された場合、単独か、あるいは他のマスタデバイスと協力するかのいずれかで送信をスケジューリングすることによって、マスタ／スレーブ構成におけるマスタ機能を提供することができる。
【００３６】
[0042]  媒体を予約するためにメッセージをブロードキャストするための無線アクセスプロトコルは、特定のアプリケーションおよびシステム全体に課せられた設計制約全体に依存して変化しうる。例示のために、無線アクセスプロトコルの例が提示されるだろう。この例は、同一のネットワークで動作する２つの無線デバイスが通信することを可能にする基礎プロトコル（underlying protocol）の上に成り立つ。基礎プロトコルは、図５を参照して提示されるだろう。図５を参照すると、ネットワーク５０２内の無線デバイス５０４Ｔは、キャリア感知多元接続（ＣＳＭＡ：Carrier Sense Multiple Access）を使用して、同一のネットワーク５０２内の別の無線デバイス５０４Ｒに送信するために媒体へのアクセスを取得する。それは、他の無線デバイス５０４からのアクティビティのための媒体を「感知する（sense）」ことによってこれを実行する。送信側の無線デバイス５０４Ｔがアクティビティを検出すると、それは、送信を遅らせる。アクティビティが無いことを送信側の無線デバイス５０４Ｔが感知すると、それは、送信要求を受信側の無線デバイス５０４Ｒに送ることによって、媒体を予約しようと試みる。受信側の無線デバイス５０４Ｒがこの送信を受け入れることができる場合、それは、許可（grant）を用いて送信要求に応答し、それによって、送信側の無線デバイス５０４Ｔのために媒体を予約する。許可は、また、送信を完了するために要求される時間インターバルを示すフィールドを含みうる。許可内のこのフィールドは、ネットワーク５０２中にブロードキャストされる。受信側無線デバイス５０４Ｒの近くにある無線デバイス５０４は、このブロードキャストを聴くことができる。このブロードキャストの結果として、これらの無線デバイス５０４は、許可のフィールド内の時間インターバルの間サイレントを維持する。この時間インターバルは、「サイレント期間（silent period）」と呼ばれるだろう。
【００３７】
[0043]  図４に戻り、無線デバイス４０４は、２つのネットワーク４０２ａ、４０２ｂにおける送信を時間的に順序付けする（time sequence）ために、上述された基礎プロトコルの上に成り立ちうる。例として、無線デバイス４０４は、第１のネットワーク４０２ａへの許可を、同一のネットワーク内の仮想デバイス（virtual device）にブロードキャストすることによって、第２のネットワーク４０２ｂ内の無線デバイス４０４ｂ間での無線送信のために媒体を予約しうる。上で説明されたように、無線デバイス４０４は、第１のネットワーク４０２ａ内の無線デバイス４０４ａが無線送信を控える時間インターバル（Ｔ１）を反映するように、許可内のフィールドを設定しうる。プロトコルに依存して、第１のネットワーク４０２ａ内の無線デバイス４０４ａは、無線デバイス４０４が、第２のネットワーク４０２ｂ内の無線デバイス送信のための媒体を予約していることに気付きうるか、あるいは、無線デバイス４０４が、仮想デバイスから送信を受信する直前であると仮定しうる。どちらにしても、無線デバイス４０４ａは、時間インターバル（Ｔ１）の期限の経過するまで任意の送信を延長する。
【００３８】
[0044]  第２のネットワーク４０２ｂ内の無線デバイス４０４ｂ間での送信の性質に依存して、時間インターバル（Ｔ１）全体、またはその一部が要求される可能性がある。例として、時間インターバル（Ｔ１）は、本開示で上述されたように媒体を予約する前に要求される送信リソースの予測から設定されうる。このように、時間インターバル（Ｔ１）の間の実際の送信リソースが、不意に、予測されたものからドロップ（drop）しうる可能性がある。この事象において、無線デバイス４０４は、第１の無線ネットワーク４０２ｂに任意の追加時間をリリースしうる。無線デバイス４０４は、第１のネットワーク４０２ａ内の無線デバイス４０４ａに媒体をリリースするために、ブロードキャストを利用しうる。
【００３９】
[0045]  基礎プロトコルは、両方のネットワーク４０２ａ、４０２ｂの様々な送信リソース要件をモニタリングするために、無線デバイス４０４によって使用されうる。より詳細には、無線デバイス４０４は、無線デバイスのために、許可、並びに、許可内のサイレント期間の長さをモニタリングすることができる。次に、この情報は、将来の送信リソース要件を予測するために、無線デバイス４０４によって使用されうる。本開示で上述されたように、この予測は、２つのネットワーク間で無線送信を時間的に順序付けするために使用されうる。許可は、また、現在の送信リソース要件を決定するために、無線デバイス４０４によってモニタリングされ、ネットワーク４０２ａと４０２ｂとの間の送信の時間順序付けを決定するために、単独でまたは予測アルゴリズムと組み合わせて使用されうる。代替的に、時間的な順序付けは、２つのネットワーク４０２ａ、４０２ｂ内の無線デバイスとの制御シグナリングによって、または、ネットワークオペレータから学習した情報から、予測アルゴリズムに基づくか、送信リソースの現在の利用に基づくかが、決定されうる。
【００４０】
[0046]  ここで、処理システムの動作が図６を参照して提示される。上述されたように、処理システムは、２つの無線ネットワークで通信することができる無線デバイスに存在する。ステップ６０２において、処理システムは、第１および第２の無線ネットワーク内の１または複数の無線デバイスとの通信をサポートする。この例において、第１および第２の無線ネットワークは、共通のスペクトルおよび異なるエアインターフェースプロトコルを有する。ステップ６０４において、メッセージは、第１のネットワークにおける送信を抑制するために第１の無線ネットワークへの送信のために生成され、第２の無線ネットワークにおける無線送信のための媒体を予約する。
【００４１】
[0047]  メッセージが第１の無線ネットワークへと送信される方法は、特定のアプリケーションおよびシステムに課せられた設計制約に依存して変化しうる。無線デバイスの１つの構成において、送信機は、第１のネットワークへとメッセージを指向的に送信するように構成される。例として、無線デバイスは、ＷＷＡＮにサービス提供する基地局であり、メッセージは、基地局に関連付けられたセクタのうちの１つに送信されうる。代替的に、送信機は、第２の無線ネットワーク内の送信側の無線デバイスの予想された位置、あるいは、第２のネットワークにおける将来の送信の予想された領域をカバーする領域内へメッセージを指向的に送信するように構成されうる。送信機は、第２の無線ネットワーク内の送信の範囲内にある第１の無線ネットワーク内の無線デバイスに到達するのに十分な電力でメッセージを送信しうる。
【００４２】
[0048]  媒体は、ある時間インターバルの間、第２の無線ネットワークでの送信のために予約されうる。この時間インターバルは、任意の適切な基準に基づきうる。例として、リソース要件は、ステップ６０８において予測されうるか、あるいは、動的に決定され、時間インターバルは、ステップ６１０において、それらの要件に基づいて決定される。代替的または付加的に、時間インターバルは、ステップ６１２において、第１の無線ネットワークへの公平性を確実にする基準（criteria）に基づいて決定されうる。この例において、時間インターバルは、ステップ６０４において生成されたメッセージに含まれうるか、あるいは、いくつかの他の適切な手段によってブロードキャストされうる。
【００４３】
[0049]  ステップ６０６において、メッセージは、第２のネットワークでの送信を可能にするために、第２のネットワークへの送信のために生成される。処理システムは、ステップ６１３において、第２の無線ネットワークでの送信を調整しうる。送信は、ステップ６１４において、第２の無線ネットワークおよび／またはそれらの位置で送信しようとする無線デバイスについてのアプリオリな知識を用いて調整されうる。スリープスケジュールは、ステップ６１６において、第２の無線ネットワーク内の１または複数の無線デバイスのために決定されうる。当業者は、特定のアプリケーションおよびシステムに課せられた設計制約全体に基づいて、その時間インターバルの間、第２の無線ネットワークでの送信を調整するための最良の方法を容易に決定することができるであろう。
【００４４】
[0050]  ステップ６１８において、処理システムは、第１のネットワークでの送信を再開するために、時間インターバルに続いて、第１のネットワークへの送信のためのメッセージを生成しうる。このメッセージの送信に続いて、処理システムは、ステップ６０２において、両方のネットワークにおける通信のサポートを開始しうる。
【００４５】
[0051]  開示されるプロセスの様々なステップは、無線デバイスの処理システムによって実行されるが、他の適切なハードウェア、ソフトウェア、あるいは、任意の適切なデバイスで動作するそれら２つのあらゆる組み合わせによって実行されうる。処理システムが基地局に存在する例が提供されるが、この処理システムは、アクセスポイント、あるいは１または複数の他の無線デバイスのために別のネットワークへのアクセスを提供することができるその他のデバイスに存在しうる。あるいは、処理システムは通信プロトコルをサポートすることができる任意の無線デバイスに存在し、それは、例として、ピア・ツー・ピア通信、および／または、基地局または類似したデバイスを通したネットワークへのアクセスが可能な無線デバイスを含みうる。開示されたプロセスにおけるステップの特定の順序または階層は例示的なアプローチの例であることは理解されるべきである。設計の選好に基づいて、プロセスにおけるステップの特定の順序または階層が再配置されうることは理解される。添付された方法の請求項は、例示的な順序で様々なステップのエレメントを提示しているが、提示された特定の順序または階層に限定されることを意図するものではない。
【００４６】
[0052]  図７は、無線デバイス７０４の機能の例を示すブロック図である。この例において、無線デバイス７０４は、第１および第２のネットワークの各々において１または複数の無線デバイスと通信するためのモジュール７１２と、なお、第１および第２の無線ネットワークは、共通スペクトルおよび異なるエアインターフェースプロトコルを有する、第１の無線ネットワークへの送信のためのメッセージを生成して、第２の無線ネットワークでの無線送信のための媒体を予約するためのモジュール７１４とを含む。
【００４７】
[0053]  以上の記述は、本明細書に記述された様々な態様を当業者が実施できるようにする目的で提供される。これらの態様に対する様々な変更は当業者には容易に明らかであり、本明細書において定義された包括的な原理は、他の態様に適用可能である。したがって、請求項は本明細書に示された態様に制限されることが意図されておらず、言語の請求項と合致する全範囲が与えられるべきである。ここで、単数形のエレメントへの参照は、そうであると記載されていない限り「１つまたは１つだけの（one and only one）」を意味せず、むしろ「１または複数の（one or more）」を意味することが意図される。別途記載されていない限り、「いくつかの（some）」という用語は、１または複数を意味する。当業者が知っている、または後に知りうる、本開示全体を通して説明された様々な態様のエレメントに対するすべての構成的および機能的な均等物は、参照によって本明細書に明確に組み込まれ、請求項によって包含されることが意図される。さらに、本明細書において開示されたものはいずれも、このような開示が請求項において明確に述べられているかどうかに関わりなく、公衆に向けられることは意図されていない。エレメントが、「〜する手段」という表現を使用して、あるいは、方法請求項の場合に「〜するステップ」という表現を使用して明確に記載されていない限り、請求項におけるいずれのエレメントも米国特許法第１１２条第６段落に基づいて解釈されるべきではない。
以下に本願発明の当初の特許請求の範囲に記載された発明を付記する。
［Ｃ１］
無線通信のための装置であって、
第１および第２の無線ネットワークの各々の１または複数の無線デバイスとの通信をサポートし、ここで、前記第１および第２の無線ネットワークは、共通のスペクトルおよび異なるエアインターフェースプロトコルを有する、
前記第１のネットワークでの送信を抑制し、前記第２の無線ネットワークでの無線送信のための媒体を予約するために、前記第１の無線ネットワークへの送信のためのメッセージを生成する  ように構成された処理システムを備える装置。
［Ｃ２］
前記メッセージを前記第１の無線ネットワークに送信するように構成された送信機をさらに備える、Ｃ１に記載の装置。
［Ｃ３］
前記送信機は、前記メッセージを前記第１のネットワークへと指向的に送信するようにさらに構成される、Ｃ２に記載の装置。
［Ｃ４］
前記送信機は、前記第２のネットワークでの無指向性送信を可能にするために、前記メッセージを前記第１のネットワークへと指向的に送信するようにさらに構成される、Ｃ３に記載の装置。
［Ｃ５］
前記送信機は、前記第２のネットワークでの指向性送信を可能にするために、前記メッセージを前記第１のネットワークへと指向的に送信するようにさらに構成される、Ｃ３に記載の装置。
［Ｃ６］
前記送信機は、前記第２のネットワークでの指向性送信を可能にするために、前記メッセージを前記第１のネットワークへと無指向的に送信するようにさらに構成される、Ｃ２に記載の装置。
［Ｃ７］
前記送信機は、前記第２のネットワークでの無指向性送信を可能にするために、前記メッセージを前記第１のネットワークへと無指向的に送信するようにさらに構成される、Ｃ２に記載の装置。
［Ｃ８］
前記装置は、無線広域ネットワークをサービスする基地局である、Ｃ３に記載の装置。
［Ｃ９］
前記送信機は、前記基地局に関連付けられた複数のセクタのうちの１つへと前記メッセージを指向的に送信するようにさらに構成される、Ｃ８に記載の装置。
［Ｃ１０］
前記送信機は、前記第２の無線ネットワーク内の送信側の無線デバイスの予想された位置をカバーする領域内へ前記メッセージを指向的に送信するようにさらに構成される、Ｃ３に記載の装置。
［Ｃ１１］
前記送信機は、前記第２の無線ネットワークでの将来の送信の予想された範囲をカバーする領域内へ前記メッセージを指向的に送信するようにさらに構成される、Ｃ３に記載の装置。
［Ｃ１２］
前記送信機は、前記第２の無線ネットワークにおける送信の範囲内にある前記第１の無線ネットワーク内の無線デバイスに到達するのに十分な電力で前記メッセージを送信するようにさらに構成される、Ｃ１に記載の装置。
［Ｃ１３］
前記処理システムは、ある時間インターバルの間前記媒体を予約するために、前記第１の無線ネットワークへの送信のための前記メッセージを生成するようにさらに構成される、Ｃ１に記載の装置。
［Ｃ１４］
前記処理システムは、前記第１および第２の無線ネットワークのうちの少なくとも１つにおけるリソース要件を予測し、前記予測に少なくとも部分的に基づいて、前記媒体を予約すべき前記時間インターバルを決定するようにさらに構成される、Ｃ１３に記載の装置。
［Ｃ１５］
前記処理システムは、前記第１および第２のネットワークのうちの少なくとも１つにおけるリソース要件を動的に決定し、前記決定に少なくとも部分的に基づいて、前記媒体を予約すべき前記時間インターバルを決定するようにさらに構成される、Ｃ１３に記載の装置。
［Ｃ１６］
前記処理システムは、前記第１の無線ネットワークにおける公平性を確実にするために、基準に少なくとも部分的に基づいて前記媒体を予約すべき前記時間インターバルを決定するようにさらに構成される、Ｃ１３に記載の装置。
［Ｃ１７］
前記処理システムは、前記時間インターバルに続いて、前記第１の無線ネットワークでの無線送信を調整するようにさらに構成される、Ｃ１３に記載の装置。
［Ｃ１８］
前記処理システムは、前記時間インターバルに続いて、前記第１の無線ネットワーク内の１または複数の無線デバイスについてのスリープスケジュールを決定するようにさらに構成される、Ｃ１７に記載の装置。
［Ｃ１９］
前記処理システムは、前記第２の無線ネットワークでの無線送信のための前記予約された媒体の前記時間インターバルに続いて、前記第１の無線ネットワークでの無線送信のための前記媒体を予約するために、前記第２の無線ネットワークへの送信のためのメッセージを生成するようにさらに構成される、Ｃ１３に記載の装置。
［Ｃ２０］
前記処理システムは、前記媒体が予約されている間に、前記第２の無線ネットワークでの前記無線送信を調整するようにさらに構成される、Ｃ１に記載の装置。
［Ｃ２１］
前記処理システムは、前記媒体が予約されている間に、前記第２の無線ネットワーク内の１または複数の無線デバイスについてのスリープスケジュールを決定するようにさらに構成される、Ｃ２０に記載の装置。
［Ｃ２２］
前記処理システムは、前記第２の無線ネットワークにおいて送信しようとする前記無線デバイスに関する情報を記憶するようにさらに構成される、Ｃ１に記載の装置。
［Ｃ２３］
前記処理システムは、前記第２の無線ネットワークにおいて送信しようとする前記無線デバイスの前記位置に関する情報を記憶するようにさらに構成される、Ｃ１に記載の装置。
［Ｃ２４］
前記装置は、無線ローカエルエリアネットワークのためのアクセスポイントである、Ｃ１に記載の装置。
［Ｃ２５］
前記処理システムは、ピア・ツー・ピア送信をサポートするように構成される、Ｃ１に記載の装置。
［Ｃ２６］
前記処理システムは、前記第２の無線ネットワーク内の無線デバイスが送信することを可能にするために、前記第２の無線ネットワークへの送信のためのメッセージを生成するようにさらに構成される、Ｃ１に記載の装置。
［Ｃ２７］
無線通信のための方法であって、
第１および第２の無線ネットワークの各々の１または複数の無線デバイスとの通信をサポートすることと、ここで、前記第１および第２の無線ネットワークは、共通のスペクトルおよび異なるエアインターフェースプロトコルを有する、
前記第１のネットワークでの送信を抑制し、前記第２の無線ネットワークでの無線送信のための媒体を予約するために、前記第１の無線ネットワークへの送信のためのメッセージを生成することとを備える方法。
［Ｃ２８］
前記メッセージを前記第１の無線ネットワークへと送信することをさらに備える、Ｃ２７に記載の方法。
［Ｃ２９］
前記メッセージは前記第１のネットワークへと指向的に送信される、Ｃ２８に記載の方法。
［Ｃ３０］
前記メッセージは、前記第２のネットワークでの無指向性送信を可能にするために、前記第１のネットワークへと指向的に送信される、Ｃ２９に記載の方法。
［Ｃ３１］
前記メッセージは、前記第２のネットワークでの指向性送信を可能にするために、前記第１のネットワークへと指向的に送信される、Ｃ２９に記載の方法。
［Ｃ３２］
前記メッセージは、前記第２のネットワークでの指向性送信を可能にするために、前記第１のネットワークへと無指向的に送信される、Ｃ２８に記載の方法。
［Ｃ３３］
前記メッセージは、前記第２のネットワークでの無指向性送信を可能にするために、前記第１のネットワークへと無指向的に送信される、Ｃ２８に記載の方法。
［Ｃ３４］
前記メッセージは、無線広域ネットワークをサービスする基地局から送信される、Ｃ２９に記載の方法。
［Ｃ３５］
前記メッセージは、前記基地局に関連付けられた複数のセクタのうちの１つへと指向的に送信される、Ｃ３４に記載の方法。
［Ｃ３６］
前記メッセージは、前記第２の無線ネットワーク内の送信側の無線デバイスの予想された位置をカバーする領域内と指向的に送信される、Ｃ２９に記載の方法。
［Ｃ３７］
前記メッセージは、前記第２の無線ネットワークでの将来の送信の予想された範囲をカバーする領域内へ指向的に送信される、Ｃ２９に記載の方法。
［Ｃ３８］
前記メッセージは、前記第２の無線ネットワーク内の送信の範囲内にある前記第１の無線ネットワーク内の無線デバイスに到達するのに十分な電力で送信される、Ｃ２７に記載の方法。
［Ｃ３９］
前記メッセージは、ある時間インターバルの間前記媒体を予約するために、前記第１の無線ネットワークへの送信のために生成される、Ｃ２７に記載の方法。
［Ｃ４０］
前記第１および第２の無線ネットワークのうちの少なくとも１つにおけるリソース要件を予測することと、前記予測に少なくとも部分的に基づいて、前記媒体を予約すべき前記時間インターバルを決定することとをさらに備える、Ｃ３９に記載の方法。
［Ｃ４１］
前記第１および第２のネットワークのうちの少なくとも１つにおけるリソース要件を動的に決定することと、前記決定に少なくとも部分的に基づいて、前記媒体を予約すべき前記時間インターバルを決定することとをさらに備える、Ｃ３９に記載の方法。
［Ｃ４２］
前記第１の無線ネットワークにおける公平性を確実にするために、基準に少なくとも部分的に基づいて、前記媒体を予約すべき前記時間インターバルを決定することをさらに備える、Ｃ３９に記載の方法。
［Ｃ４３］
前記時間インターバルに続いて、前記第１の無線ネットワークでの無線送信を調整する、Ｃ３９に記載の方法。
［Ｃ４４］
前記時間インターバルに続いて、前記第１の無線ネットワーク内の１または複数の無線デバイスについてのスリープスケジュールを決定する、Ｃ４３に記載の方法。
［Ｃ４５］
前記第２の無線ネットワークでの無線送信のための前記予約された媒体の前記時間インターバルに続いて、前記第１の無線ネットワークでの無線送信のための前記媒体を予約するために、前記第２の無線ネットワークへの送信のためのメッセージをさらに備える、Ｃ３９に記載の方法。
［Ｃ４６］
前記媒体が予約されている間に、前記第２の無線ネットワークの前記無線送信を調整することをさらに備える、Ｃ２７に記載の方法。
［Ｃ４７］
前記媒体が予約されている間に、前記第２の無線ネットワークの１または複数の無線デバイスについてのスリープスケジュールを決定することをさらに備える、Ｃ４６に記載の方法。
［Ｃ４８］
前記第２の無線ネットワークにおいて送信しようとする前記無線デバイスに関する情報を記憶することをさらに備える、Ｃ２７に記載の方法。
［Ｃ４９］
前記第２の無線ネットワークにおいて送信しようとする前記無線デバイスの位置に関する情報を記憶することをさらに備える、Ｃ２７に記載の方法。
［Ｃ５０］
前記メッセージは、無線ローカエルエリアネットワークのためのアクセスポイントによって生成される、Ｃ２７に記載の方法。
［Ｃ５１］
ピア・ツー・ピア送信のサポートをさらに備える、Ｃ２７に記載の方法。
［Ｃ５２］
前記第２の無線ネットワークの無線デバイスが送信できるようにするために、前記第２の無線ネットワークへの送信のためのメッセージを生成することをさらに備える、Ｃ２７に記載の方法。
［Ｃ５３］
無線通信のための装置であって、
第１および第２の無線ネットワークの各々の１または複数の無線デバイスとの通信をサポートする手段と、ここで、前記第１および第２の無線ネットワークは、共通のスペクトルおよび異なるエアインターフェースプロトコルを有する、
前記第１のネットワークでの送信を抑制し、前記第２の無線ネットワークでの無線送信のための媒体を予約するために、前記第１の無線ネットワークへの送信のためのメッセージを生成する手段とを備える装置。
［Ｃ５４］
前記メッセージを前記第１の無線ネットワークへ送信する手段をさらに備える、Ｃ５３に記載の装置。
［Ｃ５５］
前記メッセージを送信する手段は、前記メッセージを前記第１のネットワークへ指向的に送信するように構成される、Ｃ５４に記載の装置。
［Ｃ５６］
前記メッセージを送信する手段は、前記第２のネットワークでの無指向性送信を可能にするために、前記メッセージを前記第１のネットワークへ指向的に送信するように構成される、Ｃ５５に記載の装置。
［Ｃ５７］
前記メッセージを送信する手段は、前記第２のネットワークでの指向性送信を可能にするために、前記メッセージを前記第１のネットワークへ指向的に送信するように構成される、Ｃ５５に記載の装置。
［Ｃ５８］
前記メッセージを送信する手段は、前記第２のネットワークでの指向性送信を可能にするために、前記メッセージを前記第１のネットワークへ無指向的に送信するように構成される、Ｃ５４に記載の装置。
［Ｃ５９］
前記メッセージを送信する手段は、前記第２のネットワークでの無指向性送信を可能にするために、前記メッセージを前記第１のネットワークへ無指向的に送信するように構成される、Ｃ５４に記載の装置。
［Ｃ６０］
前記装置は、無線広域ネットワークをサービスする基地局である、Ｃ５５に記載の装置。
［Ｃ６１］
前記メッセージを送信する手段は、前記基地局に関連付けられた複数のセクタのうちの１つへ前記メッセージを指向的に送信するようにさらに構成される、Ｃ６０に記載の装置。
［Ｃ６２］
前記メッセージを送信する手段は、前記第２の無線ネットワーク内の送信側の無線デバイスの予想された位置をカバーする領域内へ前記メッセージを指向的に送信するようにさらに構成される、Ｃ５５に記載の装置。
［Ｃ６３］
前記メッセージを送信する手段は、前記第２の無線ネットワークでの将来の送信の予想された範囲をカバーする領域内へ前記メッセージを指向的に送信するようにさらに構成される、Ｃ５５に記載の装置。
［Ｃ６４］
前記メッセージを送信する手段は、前記第２の無線ネットワーク内の送信の範囲内にある前記第１の無線ネットワーク内の無線デバイスに到達するのに十分な電力で前記メッセージを送信するように構成される、Ｃ５３に記載の装置。
［Ｃ６５］
前記メッセージを生成する手段は、ある時間インターバルの間前記媒体を予約するために、前記第１の無線ネットワークへの送信のための前記メッセージを生成するようにさらに構成される、Ｃ５３に記載の装置。
［Ｃ６６］
前記第１および第２の無線ネットワークのうちの少なくとも１つにおけるリソース要件を予測する手段と、前記予測に少なくとも部分的に基づいて、前記媒体を予約する前記時間インターバルを決定する手段とをさらに備える、Ｃ６５に記載の装置。
［Ｃ６７］
前記第１および第２のネットワークのうちの少なくとも１つにおけるリソース要件を動的に決定する手段と、前記決定に少なくとも部分的に基づいて、前記媒体を予約すべき前記時間インターバルを決定する手段とをさらに備える、Ｃ６５に記載の装置。
［Ｃ６８］
前記第１の無線ネットワークにおいて公平性を確実にするために、基準に少なくとも部分的に基づいて、前記媒体を予約すべき前記時間インターバルを決定する手段をさらに備える、Ｃ６５に記載の装置。
［Ｃ６９］
前記時間インターバルに続いて、前記第１の無線ネットワークでの無線送信を調整する手段をさらに備える、Ｃ６５に記載の装置。
［Ｃ７０］
前記時間インターバルに続いて、前記第１の無線ネットワーク内の１または複数の無線デバイスについてのスリープスケジュールを決定する手段をさらに備える、Ｃ６９に記載の装置。
［Ｃ７１］
前記第２の無線ネットワークでの無線送信のための前記予約された媒体の前記時間インターバルに続いて、前記第１の無線ネットワークでの無線送信のための前記媒体を予約するために、前記第２の無線ネットワークへの送信のためのメッセージを生成する手段をさらに備える、Ｃ６５に記載の装置。
［Ｃ７２］
前記媒体が予約されている間に、前記第２の無線ネットワークでの前記無線送信を調整する手段をさらに備える、Ｃ５３に記載の装置。
［Ｃ７３］
前記媒体が予約されている間に、前記第２の無線ネットワーク内の１または複数の無線デバイスについてのスリープスケジュールを決定する手段をさらに備える、Ｃ７２に記載の装置。
［Ｃ７４］
前記第２の無線ネットワークにおいて送信しようとする前記無線デバイスに関する情報を記憶する手段をさらに備える、Ｃ５３に記載の装置。
［Ｃ７５］
前記第２の無線ネットワークにおいて送信しようとする前記無線デバイスの位置に関する情報を記憶する手段をさらに備える、Ｃ５３に記載の装置。
［Ｃ７６］
前記装置は、無線ローカエルエリアネットワークのためのアクセスポイントである、Ｃ５３に記載の装置。
［Ｃ７７］
ピア・ツー・ピア送信をサポートする手段をさらに備える、Ｃ５３に記載の装置。
［Ｃ７８］
前記第２の無線ネットワーク内の無線デバイスが送信できるようにするために、前記第２の無線ネットワークへの送信のためのメッセージを生成する手段をさらに備える、Ｃ５３に記載の装置。
［Ｃ７９］
コンピュータ読取可能な媒体を備えるコンピュータ製品であって、
前記コンピュータ読取可能な媒体は、
コンピュータに対して、第１および第２の無線ネットワークの各々の１または複数の無線デバイスとの通信をサポートさせるコードと、ここで、前記第１および第２の無線ネットワークは、共通のスペクトルおよび異なるエアインターフェースプロトコルを有する、
コンピュータに対して、前記第１のネットワークでの送信を抑制し、前記第２の無線ネットワークでの無線送信のための媒体を予約するために、前記第１の無線ネットワークへの送信のためのメッセージを生成させるコードとを備えるコンピュータ製品。
［Ｃ８０］
前記コンピュータに対してメッセージを生成させるコードは、ある時間インターバルの間、前記媒体を予約するために、前記第１の無線ネットワークへの送信のための前記メッセージを生成するようにさらに構成される、Ｃ７９に記載のコンピュータ製品。
［Ｃ８１］
コンピュータに対して、前記第１および第２の無線ネットワークのうちの少なくとも１つにおけるリソース要件を予測させるコードと、コンピュータに対して、前記予測に少なくとも部分的に基づいて、前記媒体を予約すべき前記時間インターバルを決定させるコードとをさらに備える、Ｃ８０に記載のコンピュータ製品。
［Ｃ８２］
コンピュータに対して、前記第１および第２のネットワークのうちの少なくとも１つにおけるリソース要件を動的に決定させるコードと、コンピュータに対して、前記決定に少なくとも部分的に基づいて、前記媒体を予約すべき前記時間インターバルを決定させるコードとをさらに備える、Ｃ８０に記載のコンピュータ製品。
［Ｃ８３］
前記第１の無線ネットワークにおいて公平性を確実にするために、コンピュータに対して、基準に少なくとも部分的に基づいて、前記媒体を予約すべき前記時間インターバルを決定させるコードをさらに備える、Ｃ８０に記載のコンピュータ製品。
［Ｃ８４］
コンピュータに対して、前記時間インターバルに続いて、前記第１の無線ネットワークでの無線送信を調整させるコードをさらに備える、Ｃ８０に記載のコンピュータ製品。
［Ｃ８５］
コンピュータに対して、前記時間インターバルに続いて、前記第１の無線ネットワーク内の１または複数の無線デバイスについてのスリープスケジュールを決定させるコードをさらに備える、Ｃ８０に記載のコンピュータ製品。
［Ｃ８６］
前記第２の無線ネットワークにおいて無線送信のための前記予約された媒体の前記時間インターバルに続いて、前記第１の無線ネットワークでの無線送信のために前記媒体を予約するために、コンピュータに対して、前記第２の無線ネットワークへの送信のためのメッセージを生成させるコードをさらに備える、Ｃ８０に記載のコンピュータ製品。
［Ｃ８７］
コンピュータに対して、前記媒体が予約されている間に、前記第２の無線ネットワークでの前記無線送信を調整させるコードをさらに備える、Ｃ７９に記載のコンピュータ製品。
［Ｃ８８］
コンピュータに対して、前記媒体が予約されている間に、前記第２の無線ネットワーク内の１または複数の無線デバイスについてのスリープスケジュールを決定させるコードをさらに備える、Ｃ８７に記載のコンピュータ製品。
［Ｃ８９］
コンピュータに対して、前記第２の無線ネットワークにおいて送信しようとする前記無線デバイスに関する情報を記憶させるコードをさらに備える、Ｃ７９に記載のコンピュータ製品。
［Ｃ９０］
コンピュータに対して、前記第２の無線ネットワークにおいて送信しようとする前記無線デバイスの位置に関する情報を記憶させるコードをさらに備える、Ｃ７９に記載のコンピュータ製品。
［Ｃ９１］
コンピュータに対して、ピア・ツー・ピア送信をサポートさせるコードをさらに備える、Ｃ７９に記載のコンピュータ製品。
［Ｃ９２］
コンピュータに対して、前記第２の無線ネットワーク内の無線デバイスが送信できるようにするために、前記第２の無線ネットワークへの送信のためのメッセージを生成させるコードをさらに備える、Ｃ７９に記載のコンピュータ製品。
【図１】
0005642887.tif 000002
【図２】
0005642887.tif 000003
【図３】
0005642887.tif 000004
【図４】
0005642887.tif 000005
【図５】
0005642887.tif 000006
【図６】
0005642887.tif 000007
【図７】
0005642887.tif 000008